(57)【特許請求の範囲】
【請求項１】
コピー機能及びファクス機能を有すると共に、プリンタ機能及びスキャナ機能の少なくとも一つを有して、これら複数の機能を選択的に実現可能な複合型情報処理装置であって、
外部操作によって各種指令を入力するための操作部と、
該操作部からの指令に基づき当該装置の動作モードを、前記複数の機能の一つを実現する動作モードに設定する動作モード設定手段と、
前記動作モード毎に、装置各部の制御方法を表す初期制御条件が格納された初期条件記憶手段と、
前記操作部から制御条件の設定指令が入力されると、この設定指令に基づき、指定された機能に対応する動作モードの実制御条件を、設定する実制御条件設定手段と、
前記実制御条件設定手段により設定された実制御条件を記憶する実制御条件記憶手段と、
外部から動作指令が入力された際に、前記動作モード設定手段により設定された動作モードの実制御条件が、前記実制御条件設定手段により設定されていない場合には、前記初期条件記憶手段に記憶された当該動作モードの前記初期制御条件で、装置各部を制御し、前記動作モード設定手段により設定された動作モードの実制御条件が、前記実制御条件設定手段により設定されている場合には、前記実制御条件記憶手段が記憶する当該動作モードの実制御条件で、装置各部を制御する制御手段と、
を備え、更に
前記制御手段は、
前記動作モード設定手段により、当該装置の動作モードが、前記コピー機能に対応する動作モードから前記ファクス機能に対応する動作モードに切り替えられる際には、前記実制御条件記憶手段が記憶する前記コピー機能に対応する動作モードについての前記実制御条件設定手段により設定された実制御条件を前記実制御条件記憶手段から消去して前記コピー機能に対応する動作モードについての前記実制御条件の設定を無効にし、前記動作モード設定手段により、コピー機能及びファクス機能以外の機能に対応した動作モードが設定される際には、前記コピー機能に対応する動作モードについての前記実制御条件の設定を有効に維持する
構成にされていることを特徴とする複合型情報処理装置。
【請求項２】
外部装置との間で通信するための通信手段を備え、
前記動作モード設定手段は、前記外部装置から前記通信手段を介して送信されてきた指令に基づき、当該装置をプリンタ機能若しくはスキャナ機能に対応する動作モードに設定可能な構成にされていることを特徴とする請求項１記載の複合型情報処理装置。
【発明の詳細な説明】
【０００１】
【発明の属する技術分野】
本発明は、内部装置を制御することにより、コピー機能、ファクス機能、プリンタ機能、スキャナ機能の内、少なくとも三以上の機能を実現する複合型情報処理装置に関する。
【０００２】
【従来の技術】
従来より、内部装置の動作モードを切り替えることにより、コピー機能、ファクス機能などの複数の機能を実現する複合型情報処理装置が知られている。
この種の複合型情報処理装置は、例えば、印刷する用紙のサイズや、原図に対する印刷画像のサイズを利用者の要望に応えて切り替えるために、制御条件を利用者からの指令に基づいて変更して、その変更した制御条件で内部装置を制御し、利用者からの指令に応じた印刷結果を出力するようにされている。
【０００３】
また、この種の複合型情報処理装置は、利用者からの指令に基づき変更した制御条件を一定期間保持して、その変更後の制御条件で内部装置を制御することにより、連続的にコピー等を行う際に、利用者が再度制御条件を変更するための各種情報を装置に入力しなくても良い構成にされている。
【０００４】
【発明が解決しようとする課題】
しかしながら、上記従来技術の複合型情報処理装置では、上述したような変更後の制御条件を一定期間保持する構成になっているために、制御条件を変更した者とは異なる者が装置を利用する場合には、その者が制御条件が変更されていることを知らずにコピー等の操作をしてしまうことがあった。このような場合、利用者は、所望のコピー結果を得られないことが多く、再度コピー操作等をやり直したりしなければならず、また、印刷用紙をムダにしていた。
【０００５】
また、制御条件を変更するための設定画面を液晶ディスプレイ等に表示する複合型情報処理装置も存在するが、この種の装置は、設定画面を各機能共通の液晶ディスプレイ等に表示する構成にされているため、利用者が、一つの機能に関する制御条件を変更しようとすると、その他の機能に関する制御条件を表す情報が、設定画面の更新と共に液晶ディスプレイ上から消去されてしまっていた。
【０００６】
つまり、この種の複合型情報処理装置は、上記従来の技術で記述したような利便性を図るため変更後の制御条件を一定期間保持しているにもかかわらず、設定画面上に、変更後の制御条件を表示しない場合があるため、このような場合に、利用者は、その変更後の制御条件で内部装置が制御されてしまうことを知らずに、コピー操作等をしてしまう場合があった。
【０００７】
本発明は、こうした問題に鑑みなされたものであり、利用者の意図に沿った制御条件で、装置内各部を制御することが可能な複合型情報処理装置を提供することを目的とする。
【０００８】
【課題を解決するための手段】
かかる目的を達成するためになされた請求項１に記載の複合型情報処理装置は、コピー機能及びファクス機能を有すると共に、プリンタ機能及びスキャナ機能の少なくとも一つを有して、これら複数の機能を選択的に実現可能な構成にされている。
【０００９】
また、この複合型情報処理装置は、外部操作によって各種指令を入力するための操作部を内蔵し、動作モード設定手段にて、操作部からの指令に基づき、当該装置の動作モードを、上記複数の機能の内の一つを実現する動作モードに設定する構成にされている。
【００１０】
この他、複合型情報処理装置は、動作モード毎に、装置各部の制御方法を表す初期制御条件を格納する初期条件記憶手段を備え、更には、操作部から制御条件の設定指令が入力されると、この設定指令に基づき、指定された機能に対応する動作モードの実制御条件を設定する実制御条件設定手段と、実制御条件設定手段により設定された実制御条件を記憶する実制御条件記憶手段と、を備える。
【００１１】
つまり、この複合型情報処理装置は、外部から動作指令が入力された際に、動作モード設定手段により設定された動作モードの実制御条件が、実制御条件設定手段により設定されていない場合には、初期条件記憶手段に記憶された当該動作モードの初期制御条件で、装置各部を制御し、動作モード設定手段により設定された動作モードの実制御条件が、実制御条件設定手段により設定されている場合には、実制御条件記憶手段が記憶する当該動作モードの実制御条件で、装置各部を制御する構成にされている。
【００１２】
これにより、利用者は、各動作モードにおいて、所望の制御条件で当該装置の上記機能を利用したい場合に、実制御条件を設定することで、その所望の制御条件で、当該装置を動作させることができる。
しかしながら、実制御条件記憶手段が実制御条件をいつまでも記憶する構成にされていると、当該装置の利用者が入れ替わった場合に、その利用者が、実制御条件が設定されていることを知らずに、動作指令を入力してしまう場合がある。
【００１３】
そこで、本発明の複合型情報処理装置では、動作モード設定手段により、当該装置の動作モードが、コピー機能に対応する動作モードからファクス機能に対応する動作モードに切り替えられる際には、実制御条件記憶手段が記憶するコピー機能に対応する動作モードについての実制御条件設定手段により設定された実制御条件を実制御条件記憶手段から消去してコピー機能に対応する動作モードについての実制御条件の設定を無効し、動作モード設定手段により、コピー機能及びファクス機能以外の機能に対応した動作モードが設定される際には、コピー機能に対応する動作モードについての実制御条件の設定を有効に維持するようにしている。
【００１４】
つまり、本発明においては、利用者の外部操作により入力された指令に従って一度、コピー機能に対応する動作モードを、ファクス機能に対応する動作モードに切り替えた後に、再び、コピー機能に対応する動作モードに戻した場合には、利用者が他の者に入れ替わったとみなすことにし、この場合には、初期制御条件で動作指令に応答することによって、利用者が、動作指令時に当該装置が初期制御条件で動作すると想定しているにもかかわらず、装置が実制御条件で動作してしまうのを防止している。
【００１５】
【００１６】
また、利用者が他の者に入れ替わったとみなすことができない部類の動作モードであるプリンタ機能又はスキャナ機能に対応する動作モードが設定されたときには、コピー機能に対応する動作モードの実制御条件を保持することにより、利用者の意図に沿った制御条件で、装置内各部を制御することができるようにしている。
【００１７】
従って、本発明によれば、利用者の意図に沿った制御条件で、装置内各部を制御することが可能な複合型情報処理装置を提供することができる。
【００１８】
【００１９】
【００２０】
【００２１】
【００２２】
尚、上述の動作モード設定手段は、外部装置から通信手段を介して送信されてきた指令に基づき、当該装置をプリンタ機能若しくはスキャナ機能に対応する動作モードに設定可能な構成にすることができる。
【００２３】
動作モード設定手段が、操作部及び通信手段にて動作モードを設定可能な構成にされている場合には、当該装置の前で操作部を操作して当該装置を利用する利用者と、通信手段を介して外部から遠隔操作で当該装置を利用する利用者が存在することになる。このような場合に、通信手段を介してプリンタ機能若しくはスキャナ機能に対応する動作モードが設定されただけで、コピー機能に対応する動作モードの制御条件を初期制御条件に変更してしまうと、操作部を操作してコピー機能に対応する実制御条件を設定した他方の利用者が、再び実制御条件を設定しなければならなくなってしまう。一方、本発明によれば、このような事態を防止することができ、結果として、利用者に、使い勝手の良い装置を提供することができる。
【００２４】
【００２５】
【００２６】
【００２７】
【発明の実施の形態】
以下に本発明の実施例について、図面とともに説明する。
図１は、本発明が適用された複合型情報処理装置の外観構成を表す斜視図、図２は、その複合型情報処理装置の構成を機能的に表したブロック図である。
【００２８】
図１、図２に示すように、本実施例の複合型情報処理装置１０は、主に、読取部１１と、印刷部１３と、ユーザインターフェース（Ｉ／Ｆ）１５と、電話回線接続部１７と、ＬＡＮインターフェース（Ｉ／Ｆ）１９と、ＵＳＢインターフェース（Ｉ／Ｆ）２１と、制御部２３と、から構成されており、読取部１１及び印刷部１３を駆動して原稿を複製印刷するコピー機能、読取部１１やＬＡＮＩ／Ｆ１９を介して取得した画像データを公衆電話回線網を通じて外部のファクスに送信したり外部のファクスから取得した画像データを印刷部１３にて印刷するファクス機能、ＬＡＮ（ローカルエリアネットワーク）を介してパソコン等のＬＡＮ内端末から送信されてきた印刷用データを紙に印刷するプリンタ機能、読取部１１から取得した画像データをＬＡＮＩ／Ｆ１９を介して外部のＬＡＮ内端末等に送信するスキャナ機能、等を有している。
【００２９】
詳述すると、読取部１１は、紙面上に印刷された文字、図形等からなる画像を、光を照射することにより読み取って、電気的な信号に変換するものであり、所謂スキャナとして機能する。本実施例の読取部１１は、プラテンガラスに沿って移動するライン型イメージセンサでプラテンガラス上に載置された原稿を読み取る構成にされており、更に、連続的に複数の原稿を読み取るための紙送り機構を備えている。
【００３０】
つまり、この読取部１１は、例えば利用者が本実施例の複合型情報処理装置１０のファクス機能を使用する際やコピー機能を使用する際に動作し、原稿供給トレイ１１ａから一枚づつ原稿を取り込んでイメージセンサ上を通過させることにより原稿に形成された画像を読み取り、これを原稿排出トレイ１１ｂに排出する。そして、動作することにより生成した画像データを、制御部２３に送信する。
【００３１】
続いて、印刷部１３は、給紙、排紙機構を備え、読取部１１から制御部２３を介して取得した画像データ、電話回線接続部１７を介して外部のファクスから送信されてきた画像データ、ＬＡＮＩ／Ｆ１９を介して外部のパソコン等から送信されてきた印刷用データなどに基づき、写真や文章などを紙面に画像化して印刷するためのものである。
【００３２】
本実施例における印刷部１３は、画像等を連続的に紙面印刷するための紙送り機構を備えており、給紙トレイ１３ａから記録紙を一枚ずつ取り込んで記録紙に画像を形成し、複合型情報処理装置１０の正面側にある排紙口１３ｂから記録紙を排出するように構成されている。排紙口１３ｂの下方には、引き出し式の排紙トレイ１３ｃが格納されており、利用者は必要に応じて排紙トレイ１３ｃを引き出して、排紙口１３ｂから排出される記録紙を排紙トレイに受け取らせることができる。
【００３３】
ユーザＩ／Ｆ１５は、液晶ディスプレイ等からなる表示部１５ａと、キースイッチ群などからなる操作部１５ｂと、から構成されており、利用者の外部操作に対応した指令を操作部１５ｂより制御部２３へ入力したり、制御部２３から送信されてきた各種情報を、表示部１５ａに表示する。
【００３４】
例えば、本実施例の操作部１５ｂは、利用者の操作に従って、コピー機能の動作条件を変更するためコピー設定モード動作指令及び条件変更指令（詳しくは後述）を制御部２３に入力可能な構成にされている。またこの他に、操作部１５ｂは、コピー機能に対応した動作モードで制御部２３に装置各部を制御させて原稿を複製印刷させるためのコピー動作指令を入力可能な構成にされ、更には、ファクス機能に対応した動作モードで制御部２３に装置各部を制御させて、原稿をファクス（信号）として送付先のファクスへ送信させるためのファクス送信動作指令を入力可能な構成にされている。
【００３５】
換言すると、複合型情報処理装置１０は、利用者がコピー機能、ファクス機能に関する各種指令を操作部１５ｂより制御部２３に入力すると、その制御部２３により該機能に対応した動作モードで装置各部を制御する構成にされ、利用者がＬＡＮＩ／Ｆ１９や、ＵＳＢＩ／Ｆ２１を介して遠隔操作でコピー機能及びファクス機能に関する動作指令を制御部２３に入力することはできない構成にされている。
【００３６】
また、本実施例の複合型情報処理装置１０は、利用者が操作部１５ｂを操作することにより、コピー機能に関する動作条件として、コピー枚数や、原稿タイプ、コントラスト、レイアウト、用紙タイプ等のパラメータを変更できるように構成されている。
【００３７】
コピー枚数は、周知のように、読取部１１で読み取った原稿に関して複製印刷する記録紙の枚数を表すパラメータであり、原稿タイプは、読取部１１で読み取る原稿が略文字で構成される原稿であるか、写真等で構成される原稿であるかを指定するためのパラメータである。このパラメータを変更することにより、利用者は、読み取った原稿に適した印刷パターンで、印刷部１３に画像を形成させることができる。
【００３８】
また、コントラストは、印刷部１３にて画像を形成する際の印刷濃度を設定するためのパラメータであり、レイアウトは、複数枚の原稿を一枚の記録紙に並べる様式のレイアウトで印刷するか、その他のレイアウトで印刷するかを設定するためのパラメータである。この他、用紙タイプは、記録紙の種類（用紙の厚さなど）を設定するためのパラメータである。
【００３９】
続いて、電話回線接続部１７は、当該複合型情報処理装置１０を公衆電話回線網に接続するためのものである。つまり例えば、電話回線接続部１７は、制御部２３からの入力信号に基づき、当該複合型情報処理装置１０を、ファクス送付先となる外部のファクスに公衆電話回線網を介して接続して、読取部１１で紙面から読み取った画像データを外部のファクスに送信する。
【００４０】
また、ＬＡＮＩ／Ｆ１９は、当該複合型情報処理装置１０をＬＡＮに接続するためのものであり、ＬＡＮを介して外部のパソコン等と双方向通信を行うことができるようにされている。例えば、ＬＡＮＩ／Ｆ１９は、ＴＣＰ／ＩＰやＩＰＸ／ＳＰＸ等の通信方式にて、外部装置（パソコン等）から画像データ等を取得し、これを、プリンタ機能に関する動作指令と共に制御部２３に入力したり、制御部２３からの指令に基づき、当該複合型情報処理装置１０の動作状態などを外部装置（パソコン等）に通知する。
【００４１】
この他、ＵＳＢ（Universal Serial Bus）Ｉ／Ｆ２１は、利用者の外部操作により自身にパソコンなどの外部装置を接続して、その外部装置との間で通信を行うことにより、パソコンと当該複合型情報処理装置１０との間でデータ通信を行うためのものである。このＵＳＢＩ／Ｆ２１は、基本的に、ＬＡＮＩ／Ｆ１９と同様の目的で使用されるものであるが、特にＬＡＮに接続できないパソコン等を当該複合型情報処理装置１０に接続する場合に利用される。
【００４２】
そして、制御部２３は、当該複合型情報処理装置１０内の各部を統括制御するためのものであり、ＣＰＵと、ＣＰＵで動作するプログラムやプログラム動作に必要な各種データを格納するためのメモリ２３ａ（ＲＯＭ、ＲＡＭ等）と、を備えている。
【００４３】
つまり、本実施例の複合型情報処理装置１０におけるメモリ２３ａの所定のエリア２４には、図４に示すように、読取部１１、印刷部１３等の装置各部を制御して上記各機能を実現するための機能毎（換言すると、該機能を実現する動作モード毎）の制御プログラム２４ａと、各機能（各動作モード）にて装置各部を制御する際の制御方法に関する機能毎（動作モード毎）の初期動作条件２４ｂ（即ち、制御部２３が制御プログラムにより装置各部を制御する場合の初期制御条件）と、該動作条件（制御条件）を変更するための条件変更プログラム２４ｃと、その条件変更プログラムにより変更された機能毎（動作モード毎）の実動作条件２４ｄ（制御条件）と、が記憶されている。尚、電源投入時等の初期状態においては、機能毎（動作モード毎）の実動作条件は、初期動作条件と同じに設定されるようにしても良い。
【００４４】
また、本発明にかかる特徴として、当該複合型情報処理装置１０の制御部２３が上記条件変更プログラムにより実行する条件変更処理においては、操作部１５ｂを利用者が操作することにより、制御部２３が当該装置の動作モードを切り替えた場合に、現在設定されている動作条件をクリアして、動作条件を初期値（初期動作条件）に戻すようにされている。
【００４５】
具体的に説明すると、本実施例の複合型情報処理装置１０は、装置の起動と共に、常時図３に示す条件変更処理を制御部２３にて繰り返し実行する構成にされている。尚、以下では、コピー機能に関する条件変更処理について説明する。
制御部２３は、この条件変更処理を実行すると、まずＳ１１０にて、以前にＳ１８０で変更されたコピーの動作条件の保持時間が、予め規定された時間を経過しているかどうか判断して、経過していなければ（Ｓ１１０でＮｏ）、Ｓ１２０にて、操作部１５ｂより変更された動作条件での装置各部の制御禁止を指示する設定クリア指令が入力されているか否か判断する。そして、設定クリア指令が入力されていなければ（Ｓ１２０でＮｏ）、処理をＳ１４０に移行する。
【００４６】
一方、制御部２３は、Ｓ１１０にて、動作条件の保持時間が予め規定された時間を経過していると判断するか（Ｓ１１０でＹｅｓ）、Ｓ１２０にて設定クリア指令が入力されていると判断する（Ｓ１２０でＹｅｓ）と、続くＳ１３０にて、コピーの設定クリアを行う。つまり、本実施例の複合型情報処理装置１０は、変更したコピーの動作条件を一定期間だけ保持する構成にされ、この処理（Ｓ１３０）以降に、制御部２３にてコピー処理を実行する場合には、コピー実行時の動作条件として、メモリ内に予め記憶されている初期動作条件を設定する。
【００４７】
そして、この処理（Ｓ１３０）が終了すると、制御部２３は、Ｓ１４０にて、操作部１５ｂ、若しくは、ＬＡＮＩ／Ｆ１９、ＵＳＢＩ／Ｆ２１を介して外部装置から、上記設定クリア指令を除く当該装置の動作に関する動作指令が入力されているか否か判断し、入力されていなければ、処理をＳ１１０に戻し、入力されていれば続くＳ１５０にて、動作指令が、コピー設定モードへの切替を指示するコピー設定モード動作指令であるか否か判断する。
【００４８】
ここで、制御部２３は、入力された動作指令が、コピー設定モード動作指令ではないと判断すると処理をＳ２１０に移し、コピー設定モード動作指令であると判断すると、続くＳ１６０にて、コピー設定画面を表示部１５ａに表示する。
そして、Ｓ１７０において、操作部１５ｂから上述したコピー枚数や原稿タイプ等の動作条件変更に関する条件変更指令が入力されたか否かを判断し、入力されていれば、Ｓ１８０にて動作条件（上記パラメータ）を初期値から変更して、その変更した動作条件を実動作条件として初期動作条件に加えてメモり２３ａ内に格納し、更にＳ１９０にて、その変更した動作条件を画面上に表示するようにして画面更新を行う。
【００４９】
この後、Ｓ２００において、動作条件変更に関する条件変更指令以外の指令が入力されているか否か判断し、入力されていなければ、処理をＳ１７０に戻し、入力されていれば、処理をＳ２１０に移す。
Ｓ２１０において、制御部２３は、Ｓ１４０にて入力されたコピー設定モード動作指令以外の動作指令、若しくは、Ｓ２００にて入力された動作条件変更に関する条件変更指令以外の動作指令が、コピー開始を指示するコピー動作指令であるか否かを判断し、コピー動作指令であれば、Ｓ２２０にてコピー処理を実行して、読取部１１、印刷部１３を制御する。つまり、制御部２３は、読取部１１から取得した画像データに、必要に応じて各種画像処理を施した後にこれを印刷用データとし、この印刷用データの基づき印刷部１３を制御して、印刷により記録紙上に画像を形成する。
【００５０】
尚、この際制御部２３は、メモリ２３ａ内に変更した動作条件（Ｓ１８０で設定した実動作条件）が記憶されているか否か判断し、記憶されていなければ、初期動作条件を読み出して、その条件でコピー処理を実行し、変更した動作条件（Ｓ１８０）が記憶されていれば、その変更した動作条件でコピー処理を実行する。
【００５１】
またコピー処理の実行後、制御部２３は、処理をＳ２７０に移して、動作条件の保持時間をカウントするためのタイマをスタートさせ、当該処理を終了する。尚、本実施例の複合型情報処理装置１０においては、制御部２３が当該処理を終了すると、再び、条件変更処理を実行して、Ｓ１１０の処理を実行する構成にされている。
【００５２】
一方、Ｓ２１０にて動作指令がコピー動作指令ではないと判断すると、制御部２３は、続くＳ２３０において、動作指令が、ファクス送信に関するファクス送信動作指令であるか否か判断し、ファクス送信動作指令であれば、続くＳ２４０にて、Ｓ１８０にて変更した動作条件をメモリ２３ａから消去することにより、コピーの設定クリアを行う。
【００５３】
尚、この動作により、本実施例の複合型情報処理装置１０は、ファクス機能に関する動作モードからコピー機能に関する動作モードへ動作モードを切り替えた場合に、利用者がコピー設定モードにて動作条件を変更しないかぎり、初期動作条件でコピーを開始する構成にされている。
【００５４】
また、Ｓ２４０の処理が完了すると、制御部２３は、Ｓ２５０にて、ファクス送信処理を実行して、読取部１１から画像データを取得し、これをファクス送信用の信号に変換した後に、電話回線接続部１７を介して外部のファクスに送信する。そして、この処理を終了すると、Ｓ２７０でタイマをスタートさせた後に、当該処理を終了する。
【００５５】
また一方、Ｓ２３０にて動作指令がファクス送信動作指令ではないと判断すると、制御部２３は、Ｓ２６０にて、指令に応じた処理を実行した後に、処理をＳ２７０に移行してタイマをスタートし、当該処理を終了する。
つまり、動作指令がプリンタ機能に関する動作指令である場合には、印刷部１３を制御して、外部装置からＬＡＮＩ／Ｆ１９を介して取得した印刷用データを記録紙上に印刷し、スキャナ機能に関する動作指令である場合には、読取部１１を制御して、原稿を読み取り、そのデータを外部装置にＬＡＮＩ／Ｆ１９を介して送信する。
【００５６】
尚、本実施例における複合型情報処理装置１０は、プリンタ機能に関する動作指令、及びスキャナ機能に関する動作指令を、ＬＡＮＩ／Ｆ１９若しくはＵＳＢＩ／Ｆ２１を介して取得可能な構成にされている。
また、以上には説明しなかったが、制御部２３は、コピー処理と外部装置からのデータを印刷するプリント処理とを、並行処理可能な構成にされ、コピー処理実行中に、プリンタ機能に関する動作指令をＬＡＮＩ／Ｆ１９等を介して受信して、Ｓ２６０にて、印刷部１３の制御を伴う該動作指令に応じた処理を実行する場合には、コピー処理に優先して、これらの処理を実行する構成にされている。
【００５７】
この他、本実施例の複合型情報処理装置１０は、設定クリアの処理の際に、実動作条件をメモリ２３ａより消去することにより、動作条件を初期動作条件に戻しているが、例えば、メモリ２３ａ内の実動作条件を記憶するエリアに、初期動作条件を上書きするようにして記憶させることにより、動作条件を初期動作条件に戻しても良い。
【００５８】
以上、本実施例の複合型情報処理装置１０の構成について説明したが、この複合型情報処理装置１０には以下のような効果がある。
この複合型情報処理装置１０においては、操作部１５ｂを利用者が操作することによりファクス送信動作指令が入力されると、直前のコピー設定モードにおいて変更された動作条件を消去する構成にされているため、ファクス送信の後に再びコピー等を利用者が行う場合、従来のように直前に変更された動作条件でコピー処理を実行してしまい原稿が意図しないサイズで複製印刷されてしまうなどの問題を解消することができる。
【００５９】
つまり、当該装置においては、コピー動作指令、ファクス送信動作指令が、操作部からのみ入力可能な構成にされているため、コピー動作指令が入力された後に、ファクス送信動作指令が入力され、更に、再度、コピー動作指令が入力された場合には、直前のコピー動作指令を入力した利用者と、今回のコピー動作指令を入力した利用者とが、同一人物ではない場合が、極めて高い。
【００６０】
したがって、ファクス送信動作に関する操作あるいは指令の直後に、コピー設定モードで変更された動作条件をクリアすることにより、後から当該装置を利用する者が送信直後にコピーしたとしても他人が設定した動作条件で原稿コピーを行ってしまうのを十分に抑制することができる。また、同一人物が連続してコピー動作指令を入力する際には、ある程度コピー動作の間に待ち時間があっても利用者に、動作条件を再度設定させる必要がなく便利である。
【００６１】
また、本実施例の複合型情報処理装置１０においては、外部装置からの遠隔操作により、当該装置を、プリンタ機能、スキャナ機能に対応する動作モードに設定することができる構成にされているが、このような遠隔操作で、動作モードが切り替わった場合には、コピーの動作条件をクリアしない構成にされているため、利用者が、コピー処理を実行させようとしている場合に、遠隔操作で当該装置がプリンタ機能、スキャナ機能の動作モードに切り替わり、直前に設定したコピーの動作条件がクリアされてしまうなどの問題を解消することができる。
【００６２】
即ち、本実施例の複合型情報処理装置１０によれば、利用者が操作部１５ｂを操作することにより動作モードを切り替えた場合にのみ、コピーの動作条件を消去することにより、概ね、操作部１５ｂを操作する利用者が入れ替わった場合には、コピーの動作条件を初期動作条件に戻すことができる。結果、当該複合型情報処理装置１０は、概ね、利用者の意図に沿った制御条件で装置内各部を制御することができる。
【００６３】
尚、本発明の複合型情報処理装置における動作モード設定手段は、本実施例において、コピー動作指令、ファクス送信動作指令が入力されると、制御部２３が条件変更処理にてコピー処理、ファクス送信処理を呼び出す動作にて実現されている。
【００６４】
また、初期条件記憶手段は、メモリ２３ａに相当する。この他、実制御条件設定手段は、条件変更処理のＳ１８０にて、制御部２３が、初期値から変更した動作条件としての実動作条件を、実制御条件記憶手段として機能するメモリ２３ａ内に格納する動作にて実現されている。また、制御手段は、制御部２３が、コピー処理を実行した際に（Ｓ２２０）、メモリ２３ａ内に、実制御条件としての変更した動作条件（実動作条件）が記憶されていれば、その動作条件で装置各部を制御し、記憶されていなければ、メモリ内２３ａ内の初期動作条件で装置各部を制御する動作にて実現されている。
【００６５】
また、「ファクス機能に対応する動作モードが設定された場合、実制御条件記憶手段が記憶するコピー機能に対応する動作モードについての実制御条件設定手段により設定された実制御条件を実制御条件記憶手段から消去してコピー機能に対応する動作モードについての実制御条件の設定を無効にする」動作は、制御部２３が、条件変更処理にて、ファクス送信に関する動作指令が入力されたと判断すると（Ｓ２３０でＹｅｓ）、Ｓ２４０にて変更したコピーの動作条件をメモリ２３ａから消去する動作に相当し、「動作モード設定手段により、コピー機能及びファクス機能以外の機能に対応した動作モードが設定された場合には、コピー機能に対応する動作モードについての実制御条件の設定を有効に維持する」動作は、スキャナ機能、プリンタ機能に関する指令が入力された場合に、制御部２３が、コピー設定クリアの処理を実行せずに、指令に応じた処理を実行する動作に相当する。尚、ファクス受信の場合も、同様にコピー設定クリアの処理を実行しないようにしてもよい。
【００６６】
以上、本発明の実施例について説明したが、本発明の複合型情報処理装置は、上記実施例に限定されるものではなく、種々の態様を採ることができる。
例えば、ファクス機能に関して、動作条件を変更することができるように複合型情報処理装置を構成した場合には、ファクス機能の動作条件が設定されている状態でコピー動作指令がなされた場合に、直ちにファクス機能にかかる変更した動作条件をクリア（消去）するように装置を構成すればよい。
【図面の簡単な説明】
【図１】  複合型情報処理装置１０の構成を表す斜視図である。
【図２】  複合型情報処理装置１０の構成を表すブロック図である。
【図３】  制御部２３にて実行される条件変更処理を表すフローチャートである。
【図４】  メモリ２３ａ内のデータ構成を表す説明図である。
【符号の説明】
１０…複合型情報処理装置、１１…読取部、１３…印刷部、１５…ユーザＩ／Ｆ、１５ａ…表示部、１５ｂ…操作部、１７…電話回線接続部、１９…ＬＡＮＩ／Ｆ、２３…制御部、２３ａ…メモリ
【図１】
0004048745.tif 000002
【図２】
0004048745.tif 000003
【図３】
0004048745.tif 000004
【図４】
0004048745.tif 000005